(57)【要約】【課題】外壁にざぐり加工を施さずに新設モルタルまたは目地モルタルを保持する外壁補修用アンカーピンおよび目地モルタル補修用アンカーピンを提供することを目的とする。【解決手段】外壁補修用アンカーピンは、コンクリート壁面等に穴を形成し、この穴に軸部を挿入し、樹脂で固着するとともに、頭部は、コンクリート壁面等に対して、補修モルタル層を保持するものである。この外壁補修用アンカーピンの頭部の径はその厚さの６倍以上である。【選択図】図１
0003148881.tif 000002
【実用新案登録請求の範囲】
【請求項１】
コンクリート外壁に形成された穴およびまたはこのコンクリート外壁に塗りつけられた既設モルタル層に形成された補修用の穴に、その軸部が挿入されるとともに、円板状の頭部はこのコンクリート外壁またはこの既設モルタル層に対して新たに塗りつけられた補修モルタル層を押さえるか、この補修モルタル層にその頭部が埋設される外壁補修用アンカーピンで、
上記頭部の厚さはこの頭部の径の１／６倍より小さい外壁補修用アンカーピン。
【請求項２】
上記軸部には転造により円錐台形の凸部が形成されている請求項１に記載の外壁補修用アンカーピン。
【請求項３】
線材の先端部をクランプして線材の先端をパンチングして頭部を鍛造した後、線材の先端部を所定長さに合わせて所定の切断位置で切断することで軸部を形成する請求項１または請求項２に記載の外壁補修用アンカーピン。
【請求項４】
コンクリート外壁およびまたはこのコンクリート外壁に塗りつけられた既設モルタル層に形成された補修穴に、軸部を挿入し、接着剤で固着するとともに、円板状の頭部はこのコンクリート外壁またはこの既設モルタル層に対して新設の目地モルタルを押さえる目地モルタル補修用アンカーピンであって、
上記頭部の厚さは、この頭部の径より小である目地モルタル補修用アンカーピン。
【考案の詳細な説明】
【技術分野】
【０００１】
本考案は、コンクリート外壁または既設モルタルに対して新設の補修モルタルまたは目地モルタルを押さえる外壁補修用アンカーピンおよび目地モルタル補修用アンカーピンに関する。
【背景技術】
【０００２】
従来の外壁補修用アンカーピンとして、特許文献１のように、頭部の径が１４ｍｍ、その頭部の厚さが３ｍｍの外壁補修用アンカーピンがある。つまり、この頭部の径は、この頭部の厚さの４．６倍の大きさを有している。
【特許文献１】特開平７−２３８６９０号公報
【考案の開示】
【考案が解決しようとする課題】
【０００３】
しかしながら、従来の外壁補修用アンカーピンは頭部が厚いため、新設モルタルを既設モルタルまたはコンクリート外壁に対してざぐりを形成する必要がある。外壁が硬い材質場合は、このざぐりを形成することは困難である。
【０００４】
そこで、外壁にざぐりを形成せずに新設の補修モルタルを保持する外壁補修用アンカーピンおよび目地モルタル補修用アンカーピンを提供することを目的とする。
【課題を解決するための手段】
【０００５】
請求項１に記載の考案は、コンクリート外壁に形成された穴およびまたはこのコンクリート外壁に塗りつけられた既設モルタル層に形成された補修用の穴に、その軸部が挿入されるとともに、円板状の頭部はこのコンクリート外壁またはこの既設モルタル層に対して新たに塗りつけられた補修モルタル層を押さえるか、この補修モルタル層にその頭部が埋設される外壁補修用アンカーピンで、上記頭部の厚さはこの頭部の径の１／６倍より小さい外壁補修用アンカーピンである。
【０００６】
コンクリート外壁とは、コンクリート構造物の壁面をいう。具体的には、橋脚、農業水路、護岸、トンネルの外壁などを指す。また、コンクリート建築物の内部の壁面も外壁に該当する。
補修とは、コンクリート外壁が壊れたり傷んだりしている場所を修繕することをいう。また、コンクリート外壁を補強することも含む。
【０００７】
請求項１に記載の考案によれば、この外壁補修用アンカーピンは、頭部と軸部とを有している。この頭部の厚さはその頭部の径の１／６倍より小さい。このため、頭部は薄くなり、ざぐり加工をせずに新設の補修モルタルを押さえることができる。
【０００８】
請求項２に記載の考案は、上記軸部には転造により円錐台形の凸部が形成されている請求項１に記載の外壁補修用アンカーピンである。
【０００９】
請求項２に記載の考案によれば、コンクリート外壁に形成された孔から外壁補修用アンカーピンが抜け落ちることを防止することができる。
【００１０】
請求項３に記載の考案は、線材の先端部をクランプして線材の先端をパンチングして頭部を鍛造した後、線材の先端部を所定長さに合わせて所定の切断位置で切断することで軸部を形成する請求項１または請求項２に記載の外壁補修用アンカーピンである。
【００１１】
請求項４に記載の考案は、コンクリート外壁およびまたはこのコンクリート外壁に塗りつけられた既設モルタル層に形成された補修穴に、軸部を挿入し、接着剤で固着するとともに、円板状の頭部はこのコンクリート外壁またはこの既設モルタル層に対して新設の目地モルタルを押さえる目地モルタル補修用アンカーピンであって、上記頭部の厚さは、この頭部の径より小である目地モルタル補修用アンカーピンである。
【考案の効果】
【００１２】
この考案によれば、外壁にざぐり加工を施さずに、新設モルタルまたは目地モルタルを押さえることができる。このため、硬い材質の外壁でも容易に外壁補修又は目地モルタルを補修することができる。
【考案を実施するための最良の形態】
【００１３】
この考案の実施例を、図面を参照しながら説明する。
【実施例】
【００１４】
図１は、この考案の一実施例に係るステンレス製の外壁補修用アンカーピン１０である。この外壁補修用アンカーピン１０は、軸部１１と、頭部１２とで構成されている。この外壁補修用アンカーピンは、軸部１１の一端に円形状の頭部１２が鍛造されたものである。
この軸部１１は、所定長さ、所定の径を有しており、その中間部からその先端にかけて円錐台の円周溝１１ａが多数形成されている。軸部１１の先端は略平坦な切断面で構成されている。
上記頭部１２は、丸い平たい形状である。頭部１２の円の中心は軸部１１の軸線上に配置されているが、この軸線と円中心とを偏心させることもできる。さらに、頭部１２を長円形状に形成することもできるが、その長円の面積は、軸部１１の面積の９倍以上とすることもできる。大きな面積の頭部１２であれば、この頭部１２で接触、押圧できる面積が大きくなる。
この考案の実施例に係る外壁補修用アンカーピン１０の軸部１１の寸法は、直径４．０ｍｍ、長さ１００ｍｍである。また、頭部１２の寸法は、直径１３ｍｍ、厚さ１．１ｍｍである。このため、頭部１２厚さはその頭部１２の径の１／１１．８倍になっている。このように、実施例の外壁補修用アンカーピン１０と、従来の外壁補修用アンカーピンとを比較した場合、その厚さとの径の比率が大きくなっている。
【００１５】
実施例の外壁補修用アンカーピン１０の製造方法について説明する。
軸部１１と同じ径の断面円形の線材について所定長さだけ突出させた状態でクランプし、ダイスを使用して突出幅をパンチングすることにより、所定形状・大きさ・厚さの平たい円形の頭部１２を線材の端部に形成する。そして、軸部１１として所定長さだけ残してこの線材を切断する。さらに、軸部１１には、ロール加工などの転造により円錐台形状の多数のリングを形成する。
【００１６】
実施例の外壁補修用アンカーピン１０を用いて外壁を補修する方法について説明する。実施例における外壁はコンクリート外壁１００である。
図２は、外壁補修用アンカーピン１０をコンクリート外壁１００に形成された穴１０１に挿入され、新設モルタル１１０を塗布したときの図である。
まず、要補修部位についてコンクリート外壁１００からモルタル層を剥がす。そして、露出したコンクリート外壁１００に穴１０１を穿設する。孔の穿設は電動ドリルを使用して行うが、この時に生じた削り屑、すなわち塵埃等は、電気掃除機等の真空装置に接続されかつ先端にブラシを装着した吸入回転ノズルを穴１０１に挿入するか、あるいはまた、ブロア等で圧縮空気を吹き付けて除去清掃する。
次に液状または低粘度のエポキシ樹脂系接着剤１２０を最深部分から穴１０１の全長の１／３の位置の所まで注入する。その後、外壁補修用アンカーピン１０を直ちに挿入し、エポキシ樹脂系接着剤１２０が硬化するまで放置する。このエポキシ樹脂系接着剤１２０は、常温（１８℃〜２０℃）において３０〜１２０分で硬化する速硬化性樹脂を使用する。なお、このエポキシ樹脂系接着剤１２０にイミダゾール等の硬化触媒を添加していてもよい。
上記エポキシ樹脂系注入材１２０が硬化したのち、穴１０１に２回目のエポキシ樹脂系接着剤１２１を注入し、硬化するまで放置する。この２回目のエポキシ樹脂系接着剤１２１は、常温において、６〜２４時間で硬化する汎用のエポキシ樹脂系接着剤を使用する。
２回目のエポキシ樹脂系注入材１２１の硬化後、セメントフィラーを塗布する。セメントフィラーは例えば、ＳＢＲ系セメントフィラーなどがある。このセメントフィラーを塗布することによって、後述する新設モルタル１１０とコンクリート外壁１００との接着強度を上げることができる。
セメントフィラーを塗布した後、新設モルタル１１０を塗布する。
【００１７】
図３のように、各タイル１５０の間（目地部分）の目地モルタル層１１０Ａを保持し、タイルの補修を行うことも可能である。この場合、目地モルタル補修用アンカーピン１０Ａを用いることが好ましい。
【００１８】
ステンレス製の上記目地モルタル補修用アンカーピン１０Ａは、軸部と、頭部とからなる。この目地モルタル補修用アンカーピン１０Ａは、軸部の一端に円形状の頭部が鍛造されたものである。
この目地モルタル補修用アンカーピン１０Ａは上記タイル１５０の間の目地モルタル層１１０Ａに目地モルタル補修用アンカーピン１０Ａの頭部が位置するよう配設する必要がある。軸部の寸法は、直径３ｍｍ、長さ６５ｍｍである。また、頭部の寸法は、直径６ｍｍ、厚さ１．１ｍｍである。このため、頭部の径は軸部の径の２倍になっている。その他の基本構成は、上記外壁補修用アンカーピン１０と同様である。
目地モルタル層１１０Ａにおいて目地モルタル補修用アンカーピン１０Ａの頭部を配置させることにより、孔についても各タイル１５０の間の目地部分に想到する外壁に形成されることとなる。
すなわち、所定の平面エリア、要補修部位で、タイル１５０および目地モルタル層１５０を剥離し、コンクリート外壁を露出させる。その後、穴を目地に沿って穿設する。エポキシ樹脂系接着剤を注入してから、目地モルタル補修用アンカーピン１０Ａを穴に挿入し、軸部を埋設する。次に、下地モルタル層を塗りつけ、新たなタイル１５０を貼り付ける。そして、目地モルタル層１１０Ａを目地部分に塗りつけることにより、補修を終了する。
【図面の簡単な説明】
【００１９】
【図１】本考案の実施例に係る外壁補修用アンカーピンを示す側面図及びその矢視図である。
【図２】本考案の実施例に係る外壁補修用アンカーピンを用いて外壁を補修した時の断面図である。
【図３】本考案の実施例に係る目地モルタル補修用アンカーピンを用いて目地モルタルを補修するときの目地モルタル補修用アンカーピンの配置場所を示す図である。
【符号の説明】
【００２０】
１０  外壁補修用アンカーピン、
１０Ａ  目地モルタル補修用アンカーピン、
１１  軸部、
１２  頭部、
１００  コンクリート外壁、
１０１  穴、
１２０，１２１  エポキシ樹脂系接着剤、
１１０  新設モルタル
１１０Ａ  目地モルタル層。
【図１】
0003148881.tif 000003
【図２】
0003148881.tif 000004
【図３】
0003148881.tif 000005